【事件の表示】
　平成　７年特許願第３５３８２１号「カメラ用撮影情報記録装置」拒絶査定不服審判事件〔平成　９年　７月１５日出願公開、特開平　９−１８５１１９〕について、次のとおり審決する。
【結　論】
　本件審判の請求は、成り立たない。
【理　由】
１．手続の経緯
　本願は、平成７年１２月２８日に出願した特願平７−３５３８２１号であって、平成１４年７月１０日付けで拒絶査定がなされ、これに対し平成１４年８月１２日に拒絶査定に対する審判請求がなされた。
　
２．本願発明
　本願の請求項１に係る発明（以下、「本願発明」という。）は、特許請求の範囲の請求項１に記載された次のとおりのものと認める。
「絞り値や撮影コマ数などの種々の撮影情報を光学的に写し込むことができる多種情報写し込み機能を有し、又は日付等の限られた情報だけを写し込む少種情報写し込み機能を有し、カメラ本体からの情報の写し込み指令信号に基づいてインクリメントした実際の撮影済みのコマ数をフィルムに写し込む写し込み手段をカメラ本体に備える、又は取付けることができるカメラ用撮影情報記録装置において、
　前記カメラ本体に、フィルムが装填されていない、或はフィルムが正しく装填されていない、或は多重撮影コマに対する１回の写し込みが済んでいる、或はフィルムエンド等の、写し込み不可状態を検出する検出手段を設け、
　前記検出手段が写し込み不可状態を検出しない場合は、カメラ本体は前記写し込み手段に情報の写し込み指令信号を出力し、
　前記検出手段が写し込み不可状態を検出した場合は、カメラ本体は前記写し込み手段に情報の写し込み指令信号を出力しないと共に、写し込み手段が写し込みランプを点灯させないことを特徴とするカメラ用撮影情報記録装置。」
　
３．引用例
　これに対して、原査定の拒絶の理由に引用された、本願出願日前に頒布された特開平４−３６０１３５号公報（以下、引用例１という。）には、以下の技術事項が記載されている。
ア．【０００７】
　本発明の目的は、装填されたフィルムの撮影駒の中から撮影済みの駒数を検出し、未露光駒の撮影時に撮影済み駒数に続く撮影順を示す情報を記録する情報記録／再生可能なカメラを提供することにある。
　
イ．【０００９】【作用】
　請求項１では、検出手段１９が、給送手段１２，１２ａでフィルムを給送しながら、再生手段１５，１６を介してフィルム上の撮影駒の中から情報が記録されている駒を検出し、計数手段１９が、検出手段１９により検出された情報記録駒を計数する。そして、制御手段１９が、フィルム上の未露光駒の撮影時に、計数手段１９で計数された情報記録駒数に続く撮影順を示す情報を記録手段１４，１６で記録させる。
　
ウ．【００１２】
　・・・１４は、磁気ヘッド１６を制御してフィルム上の磁気トラックに情報を記録する情報記録回路、・・・である。ここで情報とは、撮影駒ごとの露出値，撮影順を示す駒番号，撮影日時などの撮影に関する情報である。・・・１９は、マイクロコンピュータおよびカウンタ，メモリ，タイマなどの周辺部品から構成される制御回路であり、カメラの種々の演算やシーケンス制御を行なうとともに、後述する制御プログラムを実行して撮影ごとに撮影順序を示す情報の記録を行なう。
　
エ．【００２１】
　ステップＳ３６で、フィルムの給送を開始し、続くステップＳ３７で、情報記録回路１４を制御して撮影順序番号情報を記録する。すなわち、磁気トラック２２の撮影駒近傍の所定の記録位置へ、撮影済み駒数を計数するカウンタＳの値を記録する。なおこの時、撮影順序番号以外の撮影に関する情報を記録するようにしてもよい。
　
オ．【００５６】
　なお上記実施例では、磁気記録回路および磁気ヘッドを用いて、フィルム上に塗付された磁気記録媒体に撮影順序を示す情報を記録する例を示したが、ＬＥＤなどの発光素子を用いて、フィルム上の各撮影駒近傍に光学的に撮影順序を示す情報を記録するようにしてもよい。
　
カ．【００５８】
　以上の実施例の構成において、・・・制御回路１９が検出手段，計数手段および制御手段を、情報記録回路１４および磁気ヘッド１６が記録手段をそれぞれ構成する。
　
　したがって、引用例１には、上記各記載事項及び図１、図２、図８及び図９等も参照すると、以下の発明（以下、引用発明、という。）が記載されている。
「撮影駒ごとの露出値，撮影順を示す駒番号，撮影日時などの撮影に関する情報をフィルム上の磁気トラックに情報を記録する機能を有し、カメラの種々の演算やシーケンス制御を行なうとともに、後述する制御プログラムを実行して撮影ごとに撮影順序を示す情報の記録を行なう制御回路１９が、記録手段１４，１６を制御して、磁気トラック２２の撮影駒近傍の所定の記録位置へ、撮影済み駒数を計数するカウンタＳの値を記録するカメラにおいて、
　制御回路１９に設けられた検出手段１９でフィルム上の撮影駒の中から情報が記録されている駒を検出し、制御手段１９が、フィルム上の未露光駒の撮影時に、計数手段１９で計数された情報記録駒数に続く撮影順を示す情報を記録手段１４，１６で記録させるカメラ。」
　
　同じく、原査定の拒絶の理由に引用された、本願出願日前に頒布された特開平７−４９５２６号公報（以下、引用例３という。）には、以下の技術事項が記載されている。
キ．【０００１】【産業上の利用分野】
　本発明は、撮影終了後にフィルムを巻上げながらＬＥＤ等の光により当該フィルム面上にデータを写し込む機能を有したデータ写し込みカメラに関する。
【０００２】【従来の技術】
　従来、例えばＬＥＤ等の光によりフィルム面上に例えば日付等のデータを写し込むデータ写し込みカメラでは、撮影終了後にフィルムエンドではフィルムが確実に１コマ分だけ巻上げられる保証がない為、仮に１コマ巻上げ中にフィルムエンドになった場合、データを途中まで写し込んだ状態で、それ以上写し込む事ができなくなり、途中までしかデータが写し込めなかったり又は写し込みの文字が重なってしまったりといった不具合が生じていた。
　
ク．【０００５】
　・・・撮影コマ数以降はデート写し込みをしないように制御し、写し込みデータが途中で終了したり写し込みの文字が重なってしまうといった不具合を回避することにある。
　
ケ．【０００６】【課題を解決するための手段】
　・・・上記比較手段が上記予め定められた回転数より上記回転数検出手段の出力の方が大きいと検出したときに上記所定の駒数以降の駒にデータを写し込むのを禁止する写し込み禁止手段とを具備したことを特徴とする。
　
　また、原査定の拒絶の理由に周知例として引用された、本願出願日前に頒布された特開平２−２８７５２３号公報（以下、周知例という。）には、以下の技術事項が記載されている。
コ．本来、写込み機能を有するカメラでは、カメラ本体側から裏蓋側にデータ写込み用のトリガ信号が出力されており、（公報第２頁右上欄１３〜１５行）
　
サ．カメラ本体側Ａと裏蓋側Ｂは写込みのトリガ信号接点４０、５０で電気的に接続される。・・・マイクロコンピュータＭ２に接続された電池４７に、写込みランプＬａと、スイッチング素子のトランジスタＴｒ１の直列回路が並列に接続され、このトランジスタＴｒ１はベースにランプ駆動信号Ｌｃが入力すると導通し、写込みランプＬａを駆動して写込みが行なわれる。（公報第４頁左上欄１〜１９行）
　
４．対比
　本願発明と引用発明とを対比すると、引用発明の「撮影駒ごとの露出値，撮影順を示す駒番号，撮影日時などの撮影に関する情報」、「情報を記録する機能」、「記録手段１４，１６」は、それぞれ、本願発明の「絞り値や撮影コマ数などの種々の撮影情報」、「多種情報写し込み機能」、「写し込み手段」に相当する。
　
　引用発明の「制御回路１９」は、カメラの種々の演算やシーケンス制御を行なうとともに、後述する制御プログラムを実行して撮影ごとに撮影順序を示す情報の記録を行なうもので、情報の写し込み信号を記録手段１４，１６に出力しているといえ、本願発明でいう「カメラ本体」に装着されていることは明らかである。そして、引用発明においても、制御手段１９が、フィルム上の未露光駒の撮影時に、計数手段１９で計数された情報記録駒数に続く撮影順を示す情報を記録手段１４，１６で記録させているので、「カメラ本体からの情報の写し込み指令信号に基づいてインクリメントした実際の撮影済みのコマ数」が開示されているといえる。
　
　引用発明の「記録手段１４，１６」は、図５、６を参照すれば、カメラ本体に備える、又は取り付けることができる」ものといえる。
　
　引用発明は、カメラに関するものであるが、未露光駒の撮影時に撮影済み駒数に続く撮影順を示す情報を記録する情報記録／再生可能なカメラであるので、カメラ用撮影情報記録装置を開示していることは自明である。
　
　引用発明は、検出手段１９でフィルム上の撮影駒の中から情報が記録されている駒を検出し、その部分には情報を記録せず、情報が記録されていない未露光駒に情報を記録するものであることが自明であるので、「検出手段１９」は、本願発明の「写し込み不可状態を検出する検出手段」に相当する。そして、写し込み不可状態であるか否かに応じて、情報を記録しないかするかであるので、「検出手段が写し込み不可状態を検出しない場合は、カメラ本体は前記写し込み手段に情報の写し込み指令信号を出力し、前記検出手段が写し込み不可状態を検出した場合は、カメラ本体は前記写し込み手段に情報の写し込み指令信号を出力しない」点が開示されているといえる。
　
　したがって、両者は、「絞り値や撮影コマ数などの種々の撮影情報を写し込むことができる多種情報写し込み機能を有し、カメラ本体からの情報の写し込み指令信号に基づいてインクリメントした実際の撮影済みのコマ数をフィルムに写し込む写し込み手段をカメラ本体に備える、又は取付けることができるカメラ用撮影情報記録装置において、
　前記カメラ本体に、写し込み不可状態を検出する検出手段を設け、
　前記検出手段が写し込み不可状態を検出しない場合は、カメラ本体は前記写し込み手段に情報の写し込み指令信号を出力し、
　前記検出手段が写し込み不可状態を検出した場合は、カメラ本体は前記写し込み手段に情報の写し込み指令信号を出力しないことを特徴とするカメラ用撮影情報記録装置。」である点で一致し、以下の各点で相違している。
　
相違点１；
　本願発明では、撮影情報を光学的に写し込んでいるのに対し、引用発明では、磁気的に記録されている点。
　
相違点２；
　本願発明では、「多種情報写し込み機能を有し、」に続けて「又は日付等の限られた情報だけを写し込む少種情報写し込み機能を有し、」と記載されているのに対し、引用発明では、そのような記載がない点。
　
相違点３；
　本願発明では、写し込み不可状態に対して、「フィルムが装填されていない、或はフィルムが正しく装填されていない、或は多重撮影コマに対する１回の写し込みが済んでいる、或はフィルムエンド等の、」と限定しているのに対し、引用発明では、そのような記載がない点。
　
相違点４；
　本願発明では、写し込み指令信号を出力しない場合に、さらに「写し込み手段が写し込みランプを点灯させない」と限定しているのに対し、引用発明では、そのような記載がない点。
　
５．当審の判断
　以下、各相違点について検討する。
相違点１について；
　フィルムに撮影情報を光学的に写し込むことは、普通に行われていることであり、引用例１の上記記載事項オ．にも、「光学的に撮影順序を示す情報を記録するようにしてもよい。」と光学的に記録することが示唆されているので、引用発明において、相違点１の構成とすることは、当業者にとって容易である。
　
相違点２について；
　情報として、どの程度のものを写し込むかは、当業者が必要に応じて決定し得る設計的事項である。さらに、相違点２は択一的記載であるので、技術的に意義のある相違点ではない。
　
相違点３について；
　相違点３は、「或いはフィルムエンド等」と記載されているように、単に「写し込み不可状態」の例示的記載に過ぎないものであるが、引用例３には、フィルムエンドを検出して、駒に日付等のデータを写し込むのを禁止する写し込み禁止手段が記載されているので、引用発明に適用して、相違点３の構成とすることは、当業者にとって容易である。
　審判請求人は、請求理由中で、「フィルムエンドの検出のみならず、フィルムが装填されていない、或いはフィルムが正しく装填されていない、或いは多重撮影コマに対する１回の写し込みが済んでいる等についても検出するものであります。」と主張するが、これらは択一的記載であり、請求人の主張は採用できない。
　
相違点４について；
　上記、周知例の記載事項からも、写し込みトリガ信号が出力されないときは、写し込みランプが駆動されないことが推測し得るから、写し込みをしないときに写し込みランプを点灯させないことは、当業者にとって容易である。
　
　本願発明の効果についても、引用例１，３に記載された発明及び従来周知の技術事項から予測しうる範囲内のものである。
　
６．むすび
　したがって、本願発明は、引用例１，３に記載された発明及び従来周知の技術事項に基づいて、当業者が容易に発明をすることができたものであり、特許法第２９条第２項の規定により特許を受けることができない。
　よって、結論のとおり審決する 。